(57)【特許請求の範囲】
【請求項１】
周りを囲むプラスチック包装キャスティング（２）、（１２）、（２２）、（３２）、（４２）、（５２）、（６２）、（７２）、（８２）、（９２）、（１０２）、（１１２）と、
ボルト継手における強化のための金属ラミネートあるいはメッシュ（４）及び（４´）、（８４）、（１１４）及び（１１４´）を含む均一体の内部金属構造体（３）、（１３）、（２３）、（３３）、（４３）、（５３）、（６３）、（７３）、（８３）、（９３）、（１０３）、（１１３）と
からなるプラスチックと金属の組み合わせ体から構成され、
前記組み合わせ体は、プラスチック包装キャスティングの内部へ内部金属構造体が導入されることによって形成されものであり、
前記組み合わせ体は、基本単位材として、レール及びビーム（１）、パイプ（１０）、ロッド（２０）、チャネル（３０）、アングル（４０）、フラットバー（５０）、Ｚ部（６０）、プロフィル（７０）、ビーム（８０）、波形プレート（９０）、平坦プレート（１００）を有し、
前記レール及びビーム（１）は、断面視において、単純なＨ字形状を有し、
前記パイプ（１０）は、断面視において、単純な正方形形状を有し、
前記ロッド（２０）は、断面視において、単純な正方形形状を有し、
前記チャネル（３０）は、断面視において、単純な変形コ字形状を有し、
前記アングル（４０）は、断面視において、単純なＬ字形状を有し、
前記フラットバー（５０）は、断面視において、単純なＩ字形状を有し、
前記Ｚ部（６０）は、断面視において、単純な変形Ｚ字形状を有し、
前記プロフィル（７０）は、断面視において、単純な長方形形状を有し、
前記ビーム（８０）は、断面視において、単純なＴ字形状を有し、
前記波形プレート（９０）は、断面視において、単純な山形状が直線状に繰り返す形状を有し、
前記平坦プレート（１００）は、断面視において、単純に直線状に伸びる形状を有し、
断面視において、前記プラスチック包装キャスティングの厚さ方向の幅は、前記内部金属構造体の厚さより大きい
ことを特徴とする、建築構成部品を構成するための改良された構造。
【発明の詳細な説明】
【０００１】
【発明の属する技術分野】
本発明は、土木及び建築で一般に使用される構造建築構成部品の製造産業に適用することができる。
【０００２】
【従来の技術】
建築作業の実施に関する部品を形成するための、セメント、水、砂利及び混和剤の混合物からなるコンクリートの存在が知られている。マス・コンクリートや鉄筋コンクリートを使用することも可能で、それらは金属強化材を含むため、部品の機械的性質を向上させる。
【０００３】
【発明が解決しようとする課題】
しかしながら、コンクリートにプラスチック等の材料が提供する可能性を提供することが望ましい。すなわち、この種の作業においてコンクリートにはない、極めて重要な特徴が提供されることが望ましい。
【０００４】
出願人は、本発明の目的の構造が備えた改良の特性と水準としての構造に気づくに至った。
【０００５】
【課題を解決するための手段】
本明細書は、建築構成部品を構成するための改良された構造に関する特許発明の出願に言及し、その基本的な関心は、金属とプラスチックの組み合わせを提供し、これらの材料を別々に用いた場合には得られない特性を備えた組立体を実現する建築部品の製造を可能にすることにある。
【０００６】
建築構成部品を構成するための改良された構造は、詳細な説明を必要とする一連の利点を有する。
【０００７】
金属とプラスチックの組み合わせは、それら別々の材料が個別に提供する機械的特徴より優れた特徴を有する複合材料を提供することを指摘することが重要である。すなわち、抵抗性、耐久性、軽量性、色彩、共振すなわち最低振動、きめ、順応性、耐食性、低い伝導性、経済性、及び適用や使用の際の扱いやすさ、などが挙げられる。
【０００８】
これら全ての特徴は、本発明の重要な基本要素を統合するものである。
【０００９】
上記目的を達成するため、本発明は、外側にプラスチックキャスティングを配置した内部金属構造体を提供する。
【００１０】
提案される構造は、一方の材料の限界を、他方が提供する利点によって補償することを可能にし、両方の材料の共益関係を提供する本体を構成する。
【００１１】
組み合わせを形成するために使用されるプラスチックは、各特定状況の要件により異なるものとされる。また、外側材料の内部に配置される構造体を構成する多くの金属構成材がある。
【００１２】
更に、金属強化ラミネートあるいはプレートが、ボルト継手に設けられ、ボルト継手の持つ欠点を防ぐ。
【００１３】
鋳型を用いることにより、プラスチック材料のキャスティングが実現される。また、プラスチックキャスティングに覆われる金属構造体には、現在用いられている製法のうちのいずれかが採用される。
【００１４】
部品の寸法及び形状は、実用的な取り扱い易さ、抵抗性、重量及び経済性に関する基準によって決定される。
【００１５】
提案される本発明は、一般の建築及び架設に適用される、どのような種類の部品の製造にも用いることができる。
【００１６】
【発明の実施の形態】
以下、図面を参照して本発明の実施の形態について説明する。
建築構成部品を構成するための改良された構造は、２種類の材料、すなわち、プラスチックと金属の組み合わせから構成される。
【００１７】
使用されるプラスチックは、各事例について決定される種類によって、異なった特性を有し、包装材（２）、（１２）、（２２）、（３２）、（４２）、（５２）、（６２）、（７２）、（８２）、（９２）、（１０２）、（１１２）という総称を有する。異なった種類のプラスチック樹脂として、フェノプラスト、ポリカーボネート、ＡＢＳ、ポリエチレン樹脂のような、サーモ及びデユラプラスチックが挙げられる。
【００１８】
一方、包含される金属材（３）、（１３）、（２３）、（３３）、（４３）、（５３）、（６３）、（７３）、（８３）、（９３）、（１０３）、（１１３）は、選択される適用例に従って、いかなる形状をも有し、その構造は、抵抗値２、８００ Ｋｇ／ｃｍ２ を有するＧ−４０波形鋼、抵抗値４、２００ Ｋｇ／ｃｍ２ を有するＧ−６０波形鋼、ロッド、電気溶接されたメッシュ、強化材、フレームあるいはシヤー、亜鉛及びアルミプレートあるいは鋼トラス、ワイヤー及びケーブルから得ることができる。
【００１９】
組み合わせは、プラスチックキャスティング（２）、（１２）、（２２）、（３２）、（４２）、（５２）、（６２）、（７２）、（８２）、（９２）、（１０２）、（１１２）の内部に、金属構造体（３）、（１３）、（２３）、（３３）、（４３）、（５３）、（６３）、（７３）、（８３）、（９３）、（１０３）、（１１３）を導入することにより製造され、各構成材が他方の材料に欠ける点を補うような本体を得る。
【００２０】
同様に、ボルト継手において発生する応力やずれの結果として生じる、外側プラスチックキャスティング（２）、（１２）、（２２）、（３２）、（４２）、（５２）、（６２）、（７２）、（８２）、（９２）、（１０２）、（１１２）の浅割れやヒワレという問題を防止するための強化材として作用する金属ラミネートあるいはプレート（４）及び（４´）、（８４）、（１１４）及び（１１４´）が存在する。
【００２１】
最終形状に到達することを目的として、プラスチック材料（２）、（１２）、（２２）、（３２）、（４２）、（５２）、（６２）、（７２）、（８２）、（９２）、（１０２）、（１１２）のキャスティングを可能にする鋳型が作成され、内部金属構造体（３）、（１３）、（２３）、（３３）、（４３）、（５３）、（６３）、（７３）、（８３）、（９３）、（１０３）、（１１３）を包装する構成材は、同目的のために、可能なあらゆる方法を用いることができる。
【００２２】
トランスファー成形あるいは生硬化による注入、押出し、直接キャスティングによるキャスティングのような製法を利用することが、合理的である。
【００２３】
部品や構成材のジョイントあるいは延長部に、所定の抵抗性と固定性を可能にする、プレート及びボルト、アセンブリ、抗プラスチック接着剤、あるいはこれらの組み合わせを利用した固定手段を使用することができる。
【００２４】
提案される複合材は、レール及びビーム（１）、パイプ（１０）、ロッド（２０）、チャネル（３０）、アングル（４０）、フラットバー（５０）、Ｚ部（６０）、プロフィル（７０）、ビーム（８０）、波形プレート（９０）、平坦プレート（１００）、あるいはビームとカラムを接合するボルト（１１５）を備えた構造体（１１０）の製造に、用いることができる。
【００２５】
当業者が、本発明の範囲とこれより派生する有利な点を理解するために、更なる説明は必要ないと考えられる。
【００２６】
構成材の材料、形状、寸法及び配置は、本発明の本質を変えるものでない限り、変更可能である。
【００２７】
本明細書に表記された用語は、常にもっとも広範で限定しない意味に解釈されなければならない。
【図面の簡単な説明】
【図１】建築構成部品を構成するための改良された構造から作成されたレール及びビームの側立面図である。
【図２】プラスチック包装材、金属プレート、及び強化材が示されている第１図で検討されたレールあるいはビームの断面図である。
【図３】包装材と、内部の金属構成材とが分類されている、他の断面図であり、断面図Ａはパイプに、断面図Ｂはロッドに、断面図Ｃはチャネルに、断面図Ｄはアングルに、断面図Ｅはフラットバーに、断面図ＦはＺ部に、断面図Ｇはプロフィルに、断面図Ｈはビームに、それぞれ対応する。
【図４】断面図Ｉは波形プレートを表し、断面図Ｊは平坦プレートを表す、外側プラスチックと内側金属カバーを示す２つの断面図である。
【図５】ボルトにより接合されたビームとカラムにより形成された構造体の側立面図である。
【図１】
0004786852.tif 000002
【図２】
0004786852.tif 000003
【図３】
0004786852.tif 000004
【図４】
0004786852.tif 000005
【図５】
0004786852.tif 000006